【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
ページ記述言語を入力する入力手段と、
前記入力手段により入力されたページ記述言語を複数の領域に対応したページ記述言語に変換する変換手段と、
前記変換手段により変換されたページ記述言語に基づき画像データを生成する生成手段と、
前記生成手段により生成された画像データと前記変換手段により変換されたページ記述言語とを保持する保持手段と、
前記変換手段により変換されたページ記述言語と前記保持手段に保持されるページ記述言語とを比較する比較手段と、
前記比較手段による比較結果に応じて、前記保持手段に保持された画像データを選択するか、前記生成手段により生成される画像データを選択する選択手段とを有することを特徴とする画像形成装置。
【請求項２】
前記領域は、１ページを２方向で区切った領域を含むことを特徴とする請求項１記載の画像形成装置。
【請求項３】
前記領域は、１ページを単一方向で区切った領域を含むことを特徴とする請求項１記載の画像形成装置。
【請求項４】
印刷データを入力する入力手段と、
前記入力手段により入力された印刷データを複数の領域に対応した印刷データに変換する変換手段と、
前記変換手段により変換された印刷データに基づき画像データを生成する生成手段と、前記生成手段により生成された画像データと前記変換手段により変換された印刷データとを保持する保持手段と、
前記変換手段により変換された印刷データと前記保持手段に保持される印刷データとを比較する比較手段と、
前記比較手段による比較結果に応じて、前記保持手段に保持された画像データを選択するか、前記生成手段により生成される画像データを選択する選択手段と、
前記選択手段により選択されたピクセルマップに基づき印刷を行う印刷手段とを有することを特徴とする印刷装置。
【請求項５】
前記領域は、１ページを２方向で区切った領域を含むことを特徴とする請求項４記載の印刷装置。
【請求項６】
前記領域は、１ページを単一方向で区切った領域を含むことを特徴とする請求項４記載の印刷装置。
【請求項７】
ページ記述言語を入力する入力ステップと、
前記入力ステップにより入力されたページ記述言語を複数の領域に対応したページ記述言語に変換する変換ステップと、
前記変換ステップにより変換されたページ記述言語に基づき画像データを生成する生成ステップと、
前記生成ステップにより生成された画像データと前記変換ステップにより変換されたページ記述言語とをメモリに保持する保持ステップと、
前記変換ステップにより変換されたページ記述言語と前記メモリに保持されるページ記述言語とを比較する比較ステップと、
前記比較ステップによる比較結果に応じて、前記メモリに保持された画像データを選択するか、前記生成ステップにより生成される画像データを選択する選択ステップとを有することを特徴とする画像形成方法。
【請求項８】
前記領域は、１ページを２方向で区切った領域を含むことを特徴とする請求項１記載の画像形成方法。
【請求項９】
前記領域は、１ページを単一方向で区切った領域を含むことを特徴とする請求項１記載の画像形成方法。
【請求項１０】
ページ記述言語を入力する入力手段と、
前記入力手段により入力されたページ記述言語を複数の領域に対応したページ記述言語に変換する変換手段と、
前記変換手段により変換されたページ記述言語に基づき画像データを生成する生成手段と、
前記生成手段により生成された画像データと前記変換手段により変換されたページ記述言語とを保持する保持手段と、
前記変換手段により変換されたページ記述言語と前記保持手段に保持されるページ記述言語とを比較する比較手段と、
前記比較手段により前記変換手段により変換されたページ記述言語と前記保持手段に保持されるページ記述言語とが一致した場合、前記保持手段に保持された画像データをメモリに出力し、前記比較手段により前記変換手段により変換されたページ記述言語と前記保持手段に保持されるページ記述言語とが一致しない場合、前記生成手段により生成される画像データをメモリに出力する出力手段とを有することを特徴とする画像形成装置。
【請求項１１】
前記領域は、１ページを２方向で区切った領域を含むことを特徴とする請求項１記載の画像形成装置。
【請求項１２】
前記領域は、１ページを単一方向で区切った領域を含むことを特徴とする請求項１記載の画像形成装置。
【請求項１３】
印刷データを入力する入力手段と、
前記入力手段により入力された印刷データを複数の領域に対応した印刷データに変換する変換手段と、
前記変換手段により変換された印刷データに基づき画像データを生成する生成手段と、前記生成手段により生成された画像データと前記変換手段により変換された印刷データとを保持する保持手段と、
前記変換手段により変換された印刷データと前記保持手段に保持される印刷データとを比較する比較手段と、
前記比較手段により前記変換手段により変換された印刷データと前記保持手段に保持される印刷データとが一致した場合、前記保持手段に保持された画像データを出力し、前記比較手段により前記変換手段により変換された印刷データと前記保持手段に保持される印刷データとが一致しない場合、前記生成手段により生成される画像データを出力する出力手段と、
前記出力手段により出力された画像データの印刷を行う印刷手段とを有することを特徴とする印刷装置。
【請求項１４】
前記領域は、１ページを２方向で区切った領域を含むことを特徴とする請求項１３記載の印刷装置。
【請求項１５】
前記領域は、１ページを単一方向で区切った領域を含むことを特徴とする請求項１３記載の印刷装置。
【請求項１６】
ページ記述言語を入力する入力ステップと、
前記入力ステップにより入力されたページ記述言語を複数の領域に対応したページ記述言語に変換する変換ステップと、
前記変換ステップにより変換されたページ記述言語に基づき画像データを生成する生成ステップと、
前記生成ステップにより生成された画像データと前記変換ステップにより変換されたページ記述言語とを保持する保持ステップと、
前記変換ステップにより変換されたページ記述言語と前記保持ステップに保持されるページ記述言語とを比較する比較ステップと、
前記比較ステップにより前記変換ステップにより変換されたページ記述言語と前記保持ステップに保持されるページ記述言語とが一致した場合、前記保持ステップに保持された画像データを出力し、前記比較ステップにより前記変換ステップにより変換されたページ記述言語と前記保持ステップに保持されるページ記述言語とが一致しない場合、前記生成ステップにより生成される画像データを出力する出力ステップとを有することを特徴とする画像形成方法。
【請求項１７】
前記領域は、１ページを２方向で区切った領域を含むことを特徴とする請求項１６記載の画像形成方法。
【請求項１８】
前記領域は、１ページを単一方向で区切った領域を含むことを特徴とする請求項１６記載の画像形成方法。
【手続補正２】
【補正対象書類名】明細書
【補正対象項目名】０００９
【補正方法】変更
【補正の内容】
【０００９】
以上の課題を解決するための本発明の画像形成装置は、
ページ記述言語を入力する入力手段と、
前記入力手段により入力されたページ記述言語を複数の領域に対応したページ記述言語に変換する変換手段と、
前記変換手段により変換されたページ記述言語に基づき画像データを生成する生成手段と、
前記生成手段により生成された画像データと前記変換手段により変換されたページ記述言語とを保持する保持手段と、
前記変換手段により変換されたページ記述言語と前記保持手段に保持されるページ記述言語とを比較する比較手段と、
前記比較手段による比較結果に応じて、前記保持手段に保持された画像データを選択するか、前記生成手段により生成される画像データを選択する選択手段とを有することを特徴とする。
【手続補正３】
【補正対象書類名】明細書
【補正対象項目名】００１０
【補正方法】変更
【補正の内容】
【００１０】
また、本発明の画像形成装置は、
ページ記述言語を入力する入力手段と、
前記入力手段により入力されたページ記述言語を複数の領域に対応したページ記述言語に変換する変換手段と、
前記変換手段により変換されたページ記述言語に基づき画像データを生成する生成手段と、
前記生成手段により生成された画像データと前記変換手段により変換されたページ記述言語とを保持する保持手段と、
前記変換手段により変換されたページ記述言語と前記保持手段に保持されるページ記述言語とを比較する比較手段と、
前記比較手段により前記変換手段により変換されたページ記述言語と前記保持手段に保持されるページ記述言語とが一致した場合、前記保持手段に保持された画像データをメモリに出力し、前記比較手段により前記変換手段により変換されたページ記述言語と前記保持手段に保持されるページ記述言語とが一致しない場合、前記生成手段により生成される画像データをメモリに出力する出力手段とを有することを特徴とする。